(57)【要約】【課題】  複雑な構造や操作を必要とすることなく、水平状態を保持したまま棚を摺動して簡単に貯蔵室外に取り出すことができるようにし、使い勝手を良好にした冷蔵庫を提供する。【解決手段】  断熱形成された貯蔵室５の前面開口を開閉自在に閉塞する一側を枢支した扉８と、前記貯蔵室を形成する内箱４と、この内箱の壁面に摺動自在に係止され貯蔵室の内面を上下に区画する棚12とからなり、前記棚の扉枢支側の側面後部を傾斜切除12ａしたことを特徴とする。【選択図】  図２
2005221211.tif 000002
【特許請求の範囲】
【請求項１】
断熱形成された貯蔵室の前面開口を開閉自在に閉塞する一側を枢支した扉と、前記貯蔵室を形成する内箱と、この内箱の壁面に摺動自在に係止され貯蔵室の内面を上下に区画する棚とからなり、前記棚の扉枢支側の側面後部を傾斜切除したことを特徴とする冷蔵庫。
【請求項２】
内箱の所定位置に設置した棚を、扉の反枢支側の前部を支点として枢支側を前方へ水平回動することにより、閉扉状態に対して９０度に開扉した扉の内側に張り出したポケットの外表面に当接することなく室外に取り外せるようにしたことを特徴とする請求項１記載の冷蔵庫。
【請求項３】
扉を貯蔵室の前面開口を左右に区分する観音開き式とし、内箱の所定位置に設置した棚を、その一側の前部を支点として一方の扉の枢支側を前方へ水平回動することにより、開扉した一方の扉の内側に張り出したポケットの外表面に当接することなく室外に取り外せるようにしたことを特徴とする請求項１記載の冷蔵庫。
【請求項４】
棚の傾斜切除部に対向する内箱の後方隅角部に前記棚の上面と同一面となる水平段部を形成したことを特徴とする請求項１乃至３のいずれかに記載の冷蔵庫。
【請求項５】
棚の傾斜切除部に対向する内箱の後方隅角部に冷気ダクト、あるいは庫内灯を設置したことを特徴とする請求項１乃至３のいずれかに記載の冷蔵庫。
【発明の詳細な説明】
【技術分野】
【０００１】
本発明は冷蔵庫に係り、特に回動式扉を設けた貯蔵室内に設置される棚構成に関する。
【背景技術】
【０００２】
近年、冷蔵庫は食生活の多様化とともに収納量についても大形化の傾向にあり、その形態としては、上部に最も貯蔵物収納容積の大きい冷蔵室を設置し、その下部に冷凍室あるいは野菜室、さらには製氷室や多温度切替室を設置している。
【０００３】
前記冷蔵室は、収納容積が大きく貯蔵品の収納取り出しの使い勝手面から一側を枢支した回動式の扉により前面開口を閉塞しており、その側壁面には貯蔵室内を上下に区画する複数の棚を摺動引き出し自在に係止し、さらに扉内側のポケット部を室内側に大きく張り出して貯蔵品の収納容積を拡大させる傾向にある（例えば、特許文献１参照）。また冷蔵室の下部に配置された野菜室や冷凍室などは、収納物の出し入れ操作の利便性から扉の貯蔵室側に容器を取り付けた引出し式とするものが多くなっている。
【特許文献１】特開２００３−１３０５４１公報
【発明の開示】
【発明が解決しようとする課題】
【０００４】
しかしながら、現在冷蔵庫の外形サイズは幅、奥行き、高さ寸法とも限界近くまで拡大化しているとともに、台所事情など設置条件の関係から冷蔵室扉は９０度までしか開扉できないケースも多い。その場合には、前記扉内側ポケットの室内側への張り出し量が大きいことから棚が室外に取り出せず、特に棚上に食品などが載置されている場合などは、水平に取り出すことができないため、都度載置食品のみを取り出してから棚を傾斜させて棚受け部との係合を外し、室外に取り出すようにする必要があり、取り扱いが煩雑且つ不便であることから、さらなる使い勝手の向上要求が強くなっている。
【０００５】
本発明はこの点に着目してなされたもので、複雑な構造や操作を必要とすることなく、水平状態を保持したまま棚を摺動して簡単に室外に取り出すことができるようにし、使い勝手を良好にした冷蔵庫を提供することを目的とする。
【課題を解決するための手段】
【０００６】
上記課題を解決するために、請求項１記載の冷蔵庫の発明は、断熱形成された貯蔵室の前面開口を開閉自在に閉塞する一側を枢支した扉と、前記貯蔵室を形成する内箱と、この内箱の壁面に摺動自在に係止され貯蔵室の内面を上下に区画する棚とからなり、前記棚の扉枢支側の側面後部を傾斜切除したことを特徴とするものである。
【発明の効果】
【０００７】
この構成により、扉内側ポケットの室内側への張り出し量が大きい貯蔵室扉が台所事情などで９０度までしか開扉できない場合であっても、棚を水平状態を保持して食品などを載置したまま容易に室外に取り出すことができ、簡単な構成で使い勝手を向上することができる。
【発明を実施するための最良の形態】
【０００８】
以下、図面に基づき本発明の一実施形態について説明する。図１は家庭用冷凍冷蔵庫（１）の縦断面図であり、外箱（２）の内側に断熱材（３）を介して設けた内箱（４）により貯蔵空間を形成し、この貯蔵空間を断熱仕切壁などによって区分して複数の貯蔵室（５）（６）（７）を設けている。（５）は本体の上部に配置した冷蔵室であり、その使用頻度から最大の収納容積を有するとともに、本体一側に設けたヒンジ装置により冷蔵室扉（８）を回動自在に枢支し、その前面開口部を閉塞している。
【０００９】
冷蔵室（５）の下部には、仕切板を介して野菜などを収納する野菜室（６）を配置し、野菜室の下方には、断熱仕切壁を介して比較的小容積の多温度切替室（９）と図示しない製氷貯氷室を左右に区分配置し、その下部には冷凍食品を収納する冷凍室（７）を配置している。
【００１０】
冷蔵室（５）は、従来と同様に、背面に設けた冷却器（10）やファン（11）によって冷気を室内に導入し循環し冷却する構成であり、室内は数段に配置した棚（12）によって複数の収納部に区分して冷蔵食品の貯蔵空間を形成するとともに、冷蔵室扉（８）の内側には収納ポケット（13）を設置している。
【００１１】
この収納ポケット（13）は、近年の冷蔵庫本体（１）の大形化とともに冷蔵室（５）の奥行き寸法が深くなることで、最上部などの棚（12）奥部の載置品の取り扱いが困難になることから、棚（12）の奥行き寸法を短くして手が届きやすくする反面、扉ポケット（13）側の収納量を多くして、開扉の際は、室内（５）および扉ポケット（13）の双方から貯蔵品を取り出し、また収納し易くするため、冷蔵室（５）内側に大きく張り出して設置している。
【００１２】
なお、冷蔵室（５）を循環し、貯蔵品を冷却した冷気はさらに野菜室（６）を間接的に冷却して冷却器（10）に帰還するものであり、冷凍室（７）や多温度切替室（９）などの冷凍空間についても同様に、冷凍室（７）の背面に設置した冷凍用冷却器（14）やファン（15）により所定温度に冷却されるものである。
【００１３】
前記棚（12）は合成樹脂で平板状、あるいは容器状に成形されており、平面図である図２に示すように、棚底面の両側を冷蔵室（５）を形成する内箱（４）の内側面に一体に設けた棚受け（４ａ）に係止することで冷蔵室内の全幅に亙って配置されている。そして、棚（12）の奥行き寸法は、前述のとおり扉内側ポケット（13）が室内側に大きく張り出していることから、閉扉時にその端面と当接しないように室内奥行き寸法のほぼ二分の一強程度としている。
【００１４】
しかして、棚（12）の前記冷蔵室扉（８）の枢支側（８ａ）における側面後部は、角部を４５度の角度で切除し切欠き部（12ａ）としている。この傾斜切除範囲は、冷蔵室（５）内の所定位置の棚受け（４ａ）に設置した棚（12）を、扉の反枢支側の前部を支点として枢支側を前方へ水平回動した際に、棚の前記切欠き部（12ａ）の周縁が閉扉状態に対して９０度に開扉した冷蔵室扉（８）の内側に張り出したポケット（13）の外表面に当接することのない面積であり、棚（12）を取り外す際は、前記のように棚の反枢支側の前部を支点として回動させ、枢支側の切欠き部（12ａ）が９０度に開扉した扉のポケット（13）の外表面先端を越えた時点で棚受け（４ａ）に沿って前方へ摺動することで、水平状態を保ったまま室外に取り外すことができる。
【００１５】
上記構成によれば、棚（12）は、冷蔵庫扉（８）が９０度開扉の状態でも上面に食品など収納品を載置したまま水平に室外に取り出すことが可能となるものであり、使い勝手が格段に向上する。なお、棚（12）上に食品を載置した状態で冷蔵室（５）内に収納するときは、前記取り出し動作の逆の動作で室内の棚受け（４ａ）上に設置できるものであり、前記切除は斜めに直線的に切り欠くのではなく回動軌跡に沿って円弧状に切り欠いてもよい。
【００１６】
前記棚（12）の側面後角部の切欠き（12ａ）に対向する内箱（４）の壁部には、棚受け（４ａ）に連続し、棚受け上に設置した棚（12）の上面と同一面となるように水平段部（４ｂ）を内箱（４）と一体に突出形成している。それゆえ、棚の切欠き（12ａ）面積に相当する棚面積は前記水平段部（４ｂ）の面積で補うことができ、水平段部（４ｂ）上を貯蔵品載置面として活用することができる。
【００１７】
前記水平段部（４ｂ）は前述のように、真空成形方法などにより内箱（４）と一体に形成してもよいが、別成形部材で形成してもよい。棚（12）の切欠き部（12ａ）に対応する隅角部は、構成上その下方に亙ってデッドスペースとなる可能性が大きいことから、切欠き（12ａ）を設けた棚（12）を室内の上方部に設ける場合には、この部分に同一部分に同一符号を附した図３に示すように、冷蔵室（５）内を照明する庫内灯（16）を設置し、その前面の室内側をシェード（17）で覆うことにより、収納容積の大きな冷蔵室（５）内を背面のコーナー部から効果的に照明することができ、室内照明の意匠を斬新なものにすることができるとともに、デッドスペースを庫内灯（16）装置の設置場所として有効に活用することができる。
【００１８】
図４は、前記棚（12）の切欠き部（12ａ）に対応する隅角部が冷蔵室（５）壁面の上下方向に亙る場合の実施例であり、隅角部スペースを冷気ダクト（18）としたものである。この構成によれば、冷気通路部分の周囲を発泡スチロールなどの断熱壁（19）で被覆するため比較的大きな断面スペースを必要とする冷気ダクト（18）を、室内隅角部のスペースに配置することができ、前記庫内灯（16）と同様、室内背面コーナー部の吹出口（20）から冷気を冷蔵室（５）の対角方向に吹き出すことで、死角のより少ない効果的な室内冷却をおこなうことができる。
【００１９】
以上の実施例構成では、対象冷蔵庫として、本体最上部に配置した冷蔵室の棚構成として説明したが、本発明はこれに限らず、本体最上部に配置した冷凍室や、その冷凍室の下方に配設した大きな収納容積を有する冷蔵室に適用することも容易であり、扉についても、一側を枢支して回動させる一枚扉の方式に限らず、両側に枢支部を形成して、左右２枚の扉により前面開口を左右に区分した観音開き扉方式における棚構成としても採用できるものである。
【００２０】
前記観音開き式扉における棚（12）を室外に取り出す場合は、特に図示しないが、前記実施例と同様に、棚受け（４ａ）に設置した棚の一方の扉の枢支側の側面後部を傾斜切除して切欠き部（12ａ）を形成し、この棚を、その一側の前部を支点とするとともに一方の扉の枢支側を前方へ水平回動させることにより、前記枢支側の切欠き部（12ａ）が開扉した一方の扉のポケット（13）の外表面先端を越えた時点で棚受け（４ａ）に沿って前方へ摺動することで、水平状態を保ったまま室外に取り外すことができる。
【産業上の利用可能性】
【００２１】
本発明は、一側を枢支した回動式扉方式で貯蔵室内より取り出し可能な棚を有する冷蔵庫に利用することができる。
【図面の簡単な説明】
【００２２】
【図１】本発明の一実施形態を示す冷蔵庫の縦断面図である。
【図２】図１における冷蔵室内の棚と扉ポケットとの開扉状態を示す横断面図である。
【図３】図２の棚切欠き部に対向する内箱の後方隅角部に庫内灯装置を設置した状態を示す横断面図である。
【図４】図３の庫内灯に対して冷気ダクトを配置した状態を示す横断面図である。
【符号の説明】
【００２３】
１  冷蔵庫本体            ４  内箱                  ４ａ  棚受け
４ｂ  水平段部            ５  冷蔵室                12  棚
12ａ  切欠き部            13  扉ポケット            16  庫内灯
17  シェード              18  冷気ダクト            19  断熱壁
20  冷気吹出口
【図１】
2005221211.tif 000003
【図２】
2005221211.tif 000004
【図３】
2005221211.tif 000005
【図４】
2005221211.tif 000006